(57)【要約】【課題】  普段は邪魔にならないような形で携帯が可能で、何かをメモする必要性が生じたときに素早く記述態勢に入ることができ、またそのボールペンのインクの色も複数色を使えるような筆記用具を提供する。【解決手段】        複数色のボールペンを薄いカード状に組み込んだ筆記用具とリングによって束ねられ用紙の追加や削除のできるメモ帳とを小型セット化して携帯に便利にすることにより目的を達成する。【選択図】図１
2008149694.tif 000002
【特許請求の範囲】
【請求項１】
カード型をした複数色ボールペンであってプラスチックやゴムなどの弾性を持つ素材より本体が成りその長辺となる２辺上にそれぞれ異なる色のボールペンの芯を取り付けたものであり概ボールペンはその先端部分をそれぞれ本体より突出させて固定される。概本体の形状は両ボールペン芯先端部にはさまれる側の短辺はＵ字型またはＶ字型に切り取られた形状をなしもう一方の短辺側には１箇所または複数箇所の穴部及び短辺よりそれに至るスリットを設けた構造を特徴とする筆記用具。
【請求項２】
請求項１のカード型複数色ボールペンとセットになっているメモ用紙及び手帳。
【請求項３】
請求項１請求項２に示した本発明品の一部または全体に磁性を持たせたもの。
【発明の詳細な説明】
【技術分野】
【０００１】  本発明品はカード型をした複数色ボールペンであり、単体としても使用できるが、メモ帳やシステム手帳と組み合わせることにより、しおり代わりにも使え素早くメモがとれる薄型の筆記用具に関するものである。
【背景技術】
【０００２】  従来のカード型の筆記用具には次のようなものがある（特許文献１より特許文献５を参照）また従来のメモ帳と筆記用具が一体となったものには次のようなものがある（特許文献６より特許文献８を参照）および通常の手帳やシステム手帳。ボールペンとしおりが一体になった物には次のようなものがある（特許文献９、１０参照）
【特許文献１】特許公開２００３−４８３９５
【特許文献２】特許公開平１１−７８３４３
【特許文献３】特許公開平１０−４４６７２
【特許文献４】特許公開平６−１４３８８７
【特許文献５】実用新案公開平５−６０８８０
【特許文献６】特許公開平１１−７８３６５
【特許文献７】特許公開平２０００−２８９３８６
【特許文献８】登録実用新案第３０１２２８７号
【特許文献９】特許公開２００２−３１６４９１
【特許文献１０】特許公開２０００−４３４４６
【発明の開示】
【発明が解決しようとする課題】
【０００３】  本発明の目的は様々の状況下において素早くメモを取ることができる簡便な筆記用具を提供することにあるが。携帯に便利な小型の筆記用具であればよいというだけなら様々なものが考案されている。特許文献１より特許文献５に示すように開く、折る、丸める、スライドさせるなどして握りやすい形にしてから筆記するという形であるが緊急に何かを書きとめたい場合はこのような動作は面倒でありまた用紙は別に用意をする必要がある。用紙と筆記用具は対をなすものであると言う観点から特許文献６より特許文献８に示すように筆記用具の中に紙をロール状に巻いたり小さく折り畳んだりして格納する方式が考案されているが、迅速さが要求される中では適さないように思える、また用紙があまりに小さいとメモできる量にも問題がある。特許文献９、１０にしおりと一体型となる筆記用具があるが携帯中に落ちたりしてなくす心配もありまた単体で筆記等に使用するようなときはしおりの部分が邪魔をして書きづらい等の欠点がある。通常の筆記用具を装着した手帳は多くの種類が販売されているが予定がいつぱいある日などは規定の枠の中に書ききれない、また用紙を追加することや順番を入れ替えることなどはできないなどの不具合がある。システム手帳であれば用紙の差し替えもできるし、付け足しもできるが、機能を付加する程全体は大きくなるので小型化には限界がありまた値段も割高である。以上これまでの現状では小型で携帯に便利で素早くメモできるような筆記用具に適当なものは見当たらなかった。本発明はこれらの問題点を解決するためになされたものでありしかも便利な複数色のボールペンであり一枚のカードにつき最大４色を使い分けることができる。
【課題を解決するための手段】
【０００４】  カード型をした複数色ボールペンであってプラスチックやゴムなどの弾性を持つ素材より本体が成りその長辺となる２辺上にそれぞれ異なる色のボールペンの芯を取り付けたものであり概ボールペンはその先端部分をそれぞれ本体より突出させて固定される。概本体の形状は両ボールペン芯先端部にはさまれる側の短辺はＵ字型またはＶ字型に切り取られた形状をなしもう一方の短辺側には１箇所または複数箇所の穴部及び短辺よりそれに至るスリットを設けた構造を特徴とする筆記用具をリングで紙片を束ねる構造のメモ用紙やシステム手帳のリング部分に挟み込んで使用する。
【発明の効果】
【０００５】１．小型にできるので胸のポケットのみならず携帯電話のストラップなどに吊下げることも可能である。
２．カード型複数色ボールペンは本体１枚につき２色から４色のボールペンが装着可能である。
３．書きたいページにカード型ボールペンを挟むことによりしおり代わりになるので次回は即座に希望のページを開くことができる。
４．カード型複数色ボールペンはワンタッチでメモ帳などに取り付け取り外しができノック一つすることなく書き始めることができる。
５．単語カード様式のメモ帳を利用しているので用紙の順番を差し替えたり外したり新たな白紙を付け加えたり他人とカードの交換などのことが簡単にできる。
６．携帯するだけでなく置き場所としては家の電話機の横に置く、磁石で冷蔵庫などに張り付けておく、車内のダッシュボード上に、食卓や玄関にメッセージとして見開きで置いておくのもよい。
７．カード型複数色ボールペン単体では小型であるので名刺ホルダーの中に名刺とともに入れたり、財布の中や定期券入れの中に入れたりができる。
【発明を実施するための最良の形態】
【０００６】  図３は本発明品の詳細図でカード型３色ボールペンの例である。番号２，４，５はそれぞれ異なる色のボールペンの芯であり、プラスチックやゴムなど弾性を有する素材で出来た本体１の両サイド長辺に接着や圧着またはテープなどの方法で取り付けてある。本体下部の短辺を番号３に示すようにＵ字型またはＶ字型に切り込むことにより本体を握りやすくなると同時にボールペン先の視界が開けて文字などを書きやすくなる。本体１の厚みはボールペン芯の直径と同等か大きく超えないようにすると全体を薄くできる。本体上部にリング用の穴６及び短辺よりそれに至るスリット８と面取り部７を設ける。本体をリングに装着する場合はこの部分をリングに直接押しつけることによりスリット８の周辺部分はたわみ、リングは穴６に達し装着することができる。外すときには上方向に引き上げればスリット８の周辺は装着するときと逆にたわんで容易にはずすことができる。図ではこの部分が二重になっているが一重でも構わない、二重であると片方が壊れても脱落することはないのでなくす危険性は少ない。本体の中心部は空洞でもよいが外からインクの色がすぐ分かるように色付けしたスペーサーや写真をはさんだりマグネットを仕込んだりできる、但しリング用穴部周辺はたわむ必要があるためにこの部分のスペーサーは取り除いておく。図２に実際カード型２色ボールペンをメモ帳にセットした例を示すが、システム手帳はこのリングが複数連なったものと考えられるので図７に示すものが適当であり小型とはならないがシステム手帳の機能性は向上すると考えられる。
【図面の簡単な説明】
【０００７】
【図１】カード型２色ボールペンの使用状態図
【図２】カード型２色ポールペンをメモ帳にセットにした例
【図３】カード型３色ボールペンの詳細図
【図４】カード型２色ボールペンの正面図
【図５】カード型３色ボールペンの正面図
【図６】カード型４色ボールペンの正面図
【図７】システム手帳等用カード型３色ボールペンの正面図でありリング用の穴及びスリットなどが２箇所付いている
【図８】カード型３色ボールペンでスリムなタイプの正面図
【図９】メモ帳をホック又はマジックテープ式のバンドでとめた例
【符号の説明】
【０００８】  １は本体
２は第１ボールペン
３はＶ字型の切り込み
４は第２ボールペン
５は第３ボールペン
６はリング用穴
７は面取り部
８はスリット
９はリング
１０はメモ用紙
【図１】
2008149694.tif 000003
【図２】
2008149694.tif 000004
【図３】
2008149694.tif 000005
【図４】
2008149694.tif 000006
【図５】
2008149694.tif 000007
【図６】
2008149694.tif 000008
【図７】
2008149694.tif 000009
【図８】
2008149694.tif 000010
【図９】
2008149694.tif 000011